(57)【要約】【課題】基盤ボックスの蓋体とボックス本体は、ビスと封印具で結合されており、ボックス本体から蓋体を外すには全てのビスと封印具を外す必要がある。しかも、検査終了後にはビスを締め直す必要があるから、検査の作業効率が非常に悪い問題点があった。【解決手段】遊技機用の制御基盤を収容するボックス本体１ａと、ボックス本体１ａに被せる蓋体１ｂと、解錠操作可能な錠装置３とからなり、ボックス本体１ａと蓋体１ｂの一側辺を軸Ｏでヒンジ構造にして開閉自在に接合するとともに、ボックス本体１ａと蓋体１ｂの他側辺を前記錠装置３で結合させるようになし、さらにボックス本体１ａと蓋体１ｂを封印手段Ｓで封印するようにした。【選択図】図３
2010148988.tif 000002
【特許請求の範囲】
【請求項１】
遊技機用の制御基盤を収容するボックス本体と、
ボックス本体に被せる蓋体と、
解錠操作可能な錠装置と、からなり、
ボックス本体と蓋体の一側辺をヒンジ構造にして開閉自在に接合するとともに、ボックス本体と蓋体の他側辺を前記錠装置で結合させるようになし、さらにボックス本体と蓋体を封印手段で封印するようにしたことを特徴とする遊技機用基盤ボックス。
【発明の詳細な説明】
【技術分野】
【０００１】
本発明は、遊技機の制御基盤を収納する遊技機用基盤ボックス（以下単に基盤ボックスという。）に関する。
【背景技術】
【０００２】
現在のパチンコ機やスロットマシーンは、マイクロコンピューターを含む制御基盤で遊技内容が制御されている。この制御基盤は、四角い箱形の基盤ボックスに収納されていて、通常、遊技板の裏側や機構板に取り付けられている。前記基盤ボックスは、ボックス本体に蓋体を被せ、そのボックス本体と蓋体をビスで結合するとともにボックス本体と蓋体の間を適当な封印具や封印シールで封印した構造である。
【０００３】
ところで、基盤ボックス内の制御基盤から内蔵ロムを外して交換し、遊技内容を変更する不正行為が近年問題になっている。そのため、そのような不正行為を摘発する目的で制御基盤の内蔵ロムを対象としてプログラムの不正をチェックする抜き打ち検査が行われるが、従来その検査は、基盤ボックスの蓋体をボックス本体から外し、制御基盤から内蔵ロムを抜き取ってプログラムをチェックするようにしていた。
【発明の概要】
【発明が解決しようとする課題】
【０００４】
前記のように蓋体とボックス本体は、ビスと封印具で結合されており、ボックス本体から蓋体を外すには全てのビスと封印具を外す必要がある。しかも、検査終了後には、ビスを締め直す必要があるから、検査の作業効率が非常に悪い問題点があった。
【０００５】
本発明は、上記に鑑みなされたもので、その目的は、第一に前記のような不正行為が予防でき、第二に制御基盤の検査が短時間で行える基盤ボックスを提供することにある。
【課題を解決するための手段】
【０００６】
上記の目的を達成するため本発明は、遊技機用の制御基盤を収容するボックス本体と、ボックス本体に被せる蓋体と、解錠操作可能な錠装置とからなり、ボックス本体と蓋体の一側辺をヒンジ構造にして開閉自在に接合するとともに、ボックス本体と蓋体の他側辺を前記錠装置で結合させるようになし、さらにボックス本体と蓋体を封印手段で封印するようにした基盤ボックスを提供する。
本発明の基盤ボックスは、通常、錠装置によって施錠されているため、鍵を使用しないと蓋体が開かない。また、ボックス本体と蓋体が封印手段で封印されているため、もし鍵が破られて蓋体が開けられたとしても、その痕跡が明瞭に残るから不正の発見が容易である。このような二重のガードによって内蔵ロムを交換するような不正行為が未然かつ有効に防止できる。一方、基盤ボックスを開いて内蔵ロムを検査する場合は、一側辺がヒンジ構造になっているから錠装置を解除して簡単に蓋体を開くことができる。また、蓋体を閉じる場合も施錠して封印手段で封印するだけでよいため、ビスを締め直す従来構造に較べて殆ど手間が掛からない。
【発明の効果】
【０００７】
本発明の基盤ボックスは、錠装置によって施錠されているため、鍵を使用しないと蓋体が開かない。また、ボックス本体と蓋体が封印手段で封印されているため、もし鍵が破られて蓋体が開けられたとしても、その痕跡が明瞭に残るから不正の発見が容易である。このような二重のガードによって内蔵ロムを交換するような不正行為が未然かつ有効に防止できる。一方、基盤ボックスを開いて内蔵ロムを検査する場合は、一側辺がヒンジ構造になっているから錠装置を解除して簡単に蓋体を開くことができる。また、蓋体を閉じる場合も施錠して封印手段で封印するだけでよいため、複数のビスを一々締め直さなければならない従来構造の基盤ボックスに較べて作業性が格段に向上する。
【図面の簡単な説明】
【０００８】
【図１】要部を示す斜視図である。
【図２】基盤ボックスの正面図である。
【図３】内部機構を省略した図２のＹ−Ｙ線断面図である。
【図４】図２のＸ−Ｘ線拡大断面図である。
【図５】図３のＺ−Ｚ部拡大図である。
【図６】要部の概略正面図である。
【図７】図６から変化した状態を示す要部の概略正面図である。
【図８】図７から変化した状態を示す要部の概略正面図である。
【図９】図８から変化した状態を示す要部の概略正面図である。
【図１０】図９から変化する途中の状態を示す要部の概略正面図である。
【図１１】図１０から変化した状態を示す要部の概略正面図である。
【図１２】部分斜視図Ｚを含むパチンコ機の裏面図である。
【図１３】他の実施形態を示す要部の概略正面図である。
【図１４】図１３から変化した状態を示す要部の概略正面図である。
【図１５】ヒンジ構造の他の形態を示す要部の断面図である。
【発明を実施するための形態】
【０００９】
以下に本発明の実施の形態を図面を参照しつつ説明する。なお、図１は要部を示す斜視図、図２は基盤ボックスの正面図、図３は内部機構を省略した図２のＹ−Ｙ線断面図、図４は図２のＸ−Ｘ線拡大断面図、図５は図３のＺ−Ｚ部拡大図、図６〜図１１は動作を説明する要部の概略正面図、図１２は部分斜視図Ｚを含むパチンコ機の裏面図である。
【００１０】
基盤ボックス１は、図１２に示したように例えば遊技機の一種であるパチンコ機Ｐにおいて、遊技板Ｂの裏側や機構板Ｃに取り付けられている。基盤ボックス１は、金属製で四角い箱形のボックス本体１ａと、同じく金属製で四角い箱形の蓋体１ｂとの組合せであって、前記ボックス本体１ａの一側辺（図２，図３において左側辺）と蓋体１ｂの一側辺を、例えば軸Ｏで開閉自在に軸着する、というようなヒンジ構造で接合してなる。なお、ボックス本体１ａと蓋体１ｂは、このヒンジ構造と後述する錠装置３及び図１２の部分斜視図Ｚに示したようなシール状の封印手段Ｓで一体に接合するのであって、ビスは不要である。基盤ボックス１には、図示しないが、内蔵ロムなどの電子部品の集合体である制御基盤が収納されている。前記蓋体１ｂには透明又は半透明の合成樹脂板１００が装着されていて外部から制御基盤が見えるようになっている。
【００１１】
蓋体１ｂの自由端側の側辺（図２，図３において右側辺）には内側に錠ケース２が設けられていて、その中に錠装置３とロック手段４と表示手段５が組み込まれている。
【００１２】
図示した錠装置３は公知のシリンダー錠であって、円筒状の錠本体６と、先端に鍵穴７を有する錠軸８とからなり、鍵穴７に鍵９を差し込んだ状態でのみ図１において時計回りに９０度だけ錠軸８が回転し得る。錠軸８には後端に鍵片１０が突設してあり、その鍵片１０をボックス本体１ａの内面に固着した受金具１１に係合させることによりボックス本体１ａと蓋体１ｂを一体に繋ぐ。
【００１３】
次ぎに、ロック手段４は、前記錠軸８に装着した回転板１２と、錠軸８と一体の爪車１３と、錠装置３と横並びの位置であって錠ケース２に軸着した揺動板１４とから概略構成される。前記回転板１２は外周に４個の逆転防止爪１５を有し、その逆転防止爪１５に、錠ケース２に一端を固着した片持ち状の板ばね１６が係合している。回転板１２は錠軸８の周りを回転可能であるが、前記板ばね１６と逆転防止爪１５との係合作用により９０度単位で一方向（図１において時計回り）にのみ回転し得る。また、回転板１２は、表側に短軸１７と長軸１８を有し、さらに前記爪車１３に係合する板ばね１９を一体に設けてなる。この板ばね１９は、爪車１３の回転力を回転板１２に伝達するためのもので、回転板１２に一端を固着した片持ち状になっており、錠軸８が図１において時計回りに回転した場合に爪車１３と係合して回転板１２を一緒に回転させ、錠軸８が逆向きに回転した場合に撓みながら爪車１３の周面を滑る。一方、回転板１２の短軸１７は、後述する揺動板１４の係合片２２に接触可能で揺動板１４の本体に触れない長さに設定し、一方、回転板１２の長軸１８は、揺動板１４の本体に接触する長さに設定してある。
【００１４】
また、ロック手段４の揺動板１４は、正面視ほぼ扇形状であって、頂部を錠ケース２に軸着するとともに錠ケース２に突設した２本の止め軸２０，２１の間にあってその範囲内で揺動自在であり、自己のバランスにより下側の止め軸２０に当たって静止している。この揺動板１４には錠装置３側の側辺の裏側に係合片２２が設けてある。
【００１５】
次ぎに、前記表示手段５は、前記回転板１２と、揺動板１４と、錠ケース２に設けた表示窓２３とから構成される。回転板１２には表側に「４」から始まって反時計回りに「３」，「２」，「１」とカウントダウンするように４個の表示２４が９０度間隔で描かれている。なお、表示２４の態様は自由であり他にも、数字を逆並びに配置してカウントアップする、色彩を異ならせる、アルファベットなどの文字を描く、などの方法がある。一方、表示窓２３は回転板１２の前記「４」の表示２４に対応して設けられており、その表示窓２３に嵌めた透明カバー２５を通して一個の表示２４が見える。なお、透明カバー２５を凸レンズ状にして拡大機能を持たせておけば、表示が大きくなって見易い。揺動板１４は、図１１のように傾動して表示窓２３を塞ぐ役割を果たすが、その詳細については後述する。
【００１６】
次ぎに、基盤ボックス１の使用方法について説明する。通常、基盤ボックス１は、図１〜図５に示したように、錠軸８の鍵片１０とボックス本体１ａの受金具１１が係合し合う施錠状態になっている。従って、鍵９を持たない者は錠装置３を破壊しない限り蓋体１ｂが開けられない。この状態で表示窓２３を通して「４」の表示２４が見えるが、これは、解錠操作可能回数が４回である、という錠装置情報である。なお、前記のようにボックス本体１ａと蓋体１ｂの接合部分には、例えば剥がした痕跡が残るシール形態の封印手段Ｓが設けられており、もし錠装置３を破壊して不法に蓋体１ｂを開けたとしてもその痕跡が残る。
【００１７】
次ぎに、制御基盤の検査や修理などで適法に蓋体１ｂを開く場合は、先ず、鍵穴７に鍵９を差し込んで図１において時計回りに９０度錠軸８を回転させる。これにより、鍵片１０と受金具１１の係合が外れるから封印手段Ｓを剥がせば図３二点鎖線のように蓋体１ｂが開く。そして、必要な作業が終了した後、蓋体１ｂを閉め、錠軸８を逆向きに回して施錠し、鍵穴７から鍵９を抜いた後、新しい封印手段Ｓで再封印する。
【００１８】
しかして、上記鍵９を回して戻す一連の解錠操作を実行すると、図７のように回転板１２が時計回りに９０度回転したまま戻らずに停止する。すなわち、前記錠軸８の回転で爪車１３が回転し、板ばね１９と爪車１３の係合により回転板１２が錠軸８と同方向に９０度回転し、逆転防止爪１５の段部に板ばね１６が落ち込んで係合する。そして、この状態で錠軸８を戻すと、逆転防止爪１５と板ばね１６の係合により回転板１２の逆転が阻止され、一方、爪車１３と回転板１２の板ばね１９は係合しないで滑るから、錠軸８と爪車１３だけが戻って回転板１２が９０度回転した状態で残る。そうすると、表示窓２３の表示が「３」になり、解錠操作可能回数が３回である、という錠装置情報に変わる。
【００１９】
同様に鍵９を使って解錠操作を２回実行すると、図８，図９のように表示窓２３の表示が「２」→「１」と変化し、解錠操作可能回数が残り１回である、という錠装置情報が表示される。このとき図９のように回転板１２の短軸１７が揺動板１４の係合片２２の下に入って接触する。
【００２０】
次ぎに、図９の状態でさらに鍵９を使って解錠操作すると、回転板１２の回転により短軸１７が係合片２２に係合して揺動板１４を図１０のように傾動させ、最終的に図１１の位置で止まる。この状態で回転板１２の長軸１８が揺動板１４の本体に接触する。以後、長軸１８が揺動板１４に当たって回転板１２の回転が阻止されるから錠装置３がロックされ、鍵９の有無に拘わらず蓋体１ｂの開閉が不能になる。このとき図１１のように揺動板１４が傾動して表示窓２３を内側から塞ぐから無表示状態になり、この無表示状態が解錠操作不能という錠装置情報として伝わる。
【００２１】
なお、好ましくは、基盤ボックス１の蓋体１ｂまたはボックス本体１ａの外側にチェックシート（図示せず）を設けておくのがよい。そして、このチェックシートに解錠操作を行った日付、氏名、回数、目的などを記載しておけば、より管理が行いやすくなる。
【００２２】
図１３，図１４は解錠操作可能回数を３回に設定するとともに構造をシンプルにした実施形態を示すものである。なお、図１〜図１２で説明した実施形態と同一又は同機能部品に対して同じ符号を付しその説明を省略する。
【００２３】
この実施形態は、短軸１７の回転軌道上に錠ケース２に設けた固定板２６を交差させ、その固定板２６に短軸１７を引っ掛かけて回転板１２の動きを止め、もって錠装置３を解錠不能にロックするようにしたものである。回転板１２の表示２４は、「３」〜「１」までと○（例えば赤に着色する。）にしてあり、図１４のように３回目の解錠操作で表示窓２３に○が表示され、それにより解錠操作不能という錠装置情報が伝えられる。
【００２４】
以上、本発明を実施形態により説明したが、もちろん本発明は上記実施形態に限定されるものではない。例えば、実施形態では錠装置３としてシリンダー錠を採用したが、施錠機能を有する限りどのような形式の錠装置を採用してもよい。また、実施形態では錠軸８の回転により回転板１２を回転させる構造を採用したが、回転板１２を長方形の摺動板に変更し、錠軸８の回転運動を歯車などの伝達機構で直線運動に変換するようにしてもよい。その場合、摺動板は一方向にのみ摺動可能であり、移動しきった状態で停止して錠装置３をロックする。また、ボックス本体１ａと蓋体１ｂを接合するヒンジ構造は、軸Ｏによる回転構造に限定されるものではなく、例えば図１５に示したように蓋体１ｂの鍵片Ｏｘをボックス本体１ａの係合孔Ｏｙに係合させるようなものでもよい。この場合、蓋体１ｂはボックス本体１ａから取り外すことが可能である。また、封印手段Ｓは実施形態に示したようなシール形態に限定されるものではない。
【００２５】
また、解錠操作可能回数は必要に応じて任意に設定すればよい。例えば、実施形態の場合は、回転板１２を予め回転させて組み立てることにより、解錠操作可能回数を減らすことが可能になる。以下、解錠操作可能回数を例示し具体的な使用法を実施例１〜３により説明する。
【実施例１】
【００２６】
解錠操作可能回数を２回に設定する。そして、出荷する前の基盤ボックス１の社内検査で１回解錠操作し、遊技場に設置した後の公的監督機関の立ち会い検査で１回解錠操作する。これにより錠装置３が解錠不能になるから、鍵９の有無に拘わらず蓋体１ｂを開くことができなくなる。このときの鍵９は、当初製造メーカーが所持し、遊技機を遊技場に設置する前かまたは設置した直後に公的監督機関に引き渡す。
【実施例２】
【００２７】
解錠操作可能回数を３回に設定する。そして、実施例１と同様出荷前と設置後の２回解錠操作し、立入検査用に１回分だけ解錠操作可能な状態にしておく。なお、鍵９の取り扱いは実施例１と同じである。
【実施例３】
【００２８】
解錠操作可能回数を２回以上（ロック手段４と表示手段５をなくして回数無制限にしたものも含む。）に設定する。そして、遊技場に設置した後の公的監督機関の立ち会い検査が終了するまで蓋体１ｂを封印手段Ｓなどで仮止めしておき、同検査が終了した後に１回目の施錠を実施する。以後、１回以上解錠操作回数が残るから、抜き打ち的な立ち入り検査を鍵９を使って実施する。この実施例３と前記実施例２の相違点は、製造メーカーにおいて錠装置３の施錠を行わないことにある。その結果、製造メーカーから公的監督機関への鍵９の引き渡しが不要になるから、公的監督機関で鍵９の一括管理が行える。そのため、鍵９を適当なブロック単位（例えば、全国、西日本と東日本、関東地区や関西地区、県など）で統一させることができるから、大量の鍵９を管理する煩わしさがなく、立ち会い検査や立入検査がスムーズに行え、なおかつ、合鍵が不正に出回るおそれもない。なお、この方法では製造メーカーにおいて錠装置３の作動チェックが行えないことになるが、公的監督機関において作動チェックした錠装置３をユニット形式で装着するようにすれば問題はない。
【符号の説明】
【００２９】
１    …遊技機用基盤ボックス
１ａ  …ボックス本体
１ｂ  …蓋体
３    …錠装置
Ｏ    …軸（ヒンジ構造）
Ｏｘ  …鍵片（ヒンジ構造）
Ｏｙ  …係合孔（ヒンジ構造）
Ｓ    …封印手段
【図１】
2010148988.tif 000003
【図２】
2010148988.tif 000004
【図３】
2010148988.tif 000005
【図４】
2010148988.tif 000006
【図５】
2010148988.tif 000007
【図６】
2010148988.tif 000008
【図７】
2010148988.tif 000009
【図８】
2010148988.tif 000010
【図９】
2010148988.tif 000011
【図１０】
2010148988.tif 000012
【図１１】
2010148988.tif 000013
【図１２】
2010148988.tif 000014
【図１３】
2010148988.tif 000015
【図１４】
2010148988.tif 000016
【図１５】
2010148988.tif 000017